【手続補正書】
【提出日】平成27年7月3日(2015.7.3)
【手続補正１】
【補正対象書類名】特許請求の範囲
【補正対象項目名】全文
【補正方法】変更
【補正の内容】
【特許請求の範囲】
【請求項１】
フェース、前記フェースに対向する後方部、ヒール、前記ヒールに対向するトウ、前記フェースと前記後方部と前記ヒールと前記トウとの間に延在するクラウン表面を有するクラウン、および前記クラウンに対向し、前記フェースと前記後方部と前記ヒールと前記トウとの間に延在するソール表面を有するソールであって、前記クラウンの前記表面上の最高点が頂点を画定する、前記ソールと、
前記クラウンの前記表面から突出する複数のクラウン乱流部であって、各隣接対のクラウン乱流部は、それぞれ独立し相互に離間されることにより、前記隣接対のクラウン乱流部間にスペースを画定し、各クラウン乱流部は、前記ヒールと前記トウとの間において延在して幅を画定し、前記フェースと前記後方部との間において延在して長さを画定する、前記複数のクラウン乱流部と、を備え、
前記長さは、前記幅よりも実質的に大きく、
少なくとも１つのクラウン乱流部の少なくとも一部分は、前記フェースと前記頂点との間に位置し、
各隣接する一対のクラウン乱流部間の前記スペースは、前記スペースを画定する前記隣接する一対のクラウン乱流部のそれぞれの前記幅よりも実質的に大きい、クラブヘッドゴルフクラブヘッド。
【請求項２】
前記複数の乱流部は、前記フェースに対して、ほぼ第１の方向に配向された第１の複数の乱流部と、前記フェースに対して前記第１の方向とは異なるほぼ第２の方向に配向された第２の複数の乱流部とを備える、請求項１に記載のクラブヘッドゴルフクラブヘッド。
【請求項３】
前記複数の乱流部は、前記フェースに対してほぼ同一方向に配向される、請求項１に記載のクラブヘッドゴルフクラブヘッド。
【請求項４】
各乱流部は、前記フェースに対して、ほぼ第１の方向に配向され、隣接する乱流部は、前記フェースに対して前記第１の方向とは異なるほぼ第２の方向に配向される、請求項１に記載のクラブヘッドゴルフクラブヘッド。
【請求項５】
各乱流部の前記長さは、前記フェースに対して０°超かつ９０°未満の角度で配向される、請求項１から４のいずれか一項に記載のクラブヘッドゴルフクラブヘッド。
【請求項６】
各乱流部の前記長さは、前記フェースに対して約２０°〜約７０°の角度で配向される、請求項１から４のいずれか一項に記載のクラブヘッドゴルフクラブヘッド。
【請求項７】
各隣接対の乱流部間の前記スペースは、前記クラウンの前記表面の一部により画定される、請求項１から６のいずれか一項に記載のクラブヘッドゴルフクラブヘッド。
【請求項８】
前記ソール表面上に配設された複数のソール乱流部をさらに備える、請求項１から７のいずれか一項に記載のクラブヘッドゴルフクラブヘッド。
【請求項９】
前記ソール乱流部はそれぞれ、幅および前記幅よりも実質的に大きな長さを有する前記ソール表面中の溝によって画定される、請求項８に記載のクラブヘッドゴルフクラブヘッド。
【請求項１０】
前記ソール乱流部の中の少なくとも１つは、前記ヒールと前記フェースの中心から前記後方部にかけて延在する正中線との間の前記ソール表面の一部分に配置される、請求項８又は９に記載のクラブヘッドゴルフクラブヘッド。
【請求項１１】
前記少なくとも１つのソール乱流部は、前記ヒールの付近に位置し、ほぼ前記トウの方向に第２の端部まで延在する、第１の端部を有する、請求項１０に記載のクラブヘッドゴルフクラブヘッド。
【請求項１２】
前記ソール乱流部の中の少なくとも１つは、前記トウと前記フェースの中心から前記後方部にかけて延在する正中線との間の前記ソール表面の一部分に配置される、請求項８に記載のクラブヘッドゴルフクラブヘッド。
【請求項１３】
前記少なくとも１つのソール乱流部は、前記フェースまたは前記トウの付近に位置し、ほぼ前記トウの方向に第２の端部まで延在する、第１の端部を有する、請求項１２に記載のクラブヘッドゴルフクラブヘッド。
【請求項１４】
フェース、前記フェースに対向する後方部、ヒール、前記ヒールに対向するトウ、前記フェースと前記後方部と前記ヒールと前記トウとの間において延在するクラウン表面を有するクラウン、および前記クラウンに対向し、前記フェースと前記後方部と前記ヒールと前記トウとの間に延在するソール表面を有するソールと、
前記ヒールと前記フェースの中心から前記後方部まで延在する正中線との間の前記ソール表面の一部分に配設された溝により画定される、第１の複数のソール乱流部であって、前記第１の複数のソール乱流部の中の少なくとも１つのソール乱流部は、前記ヒールの付近からほぼ前記トウに向かう方向に延在する、前記第１の複数のソール乱流部と、
前記トウと前記ソール表面上の正中線との間の前記ソール表面の一部分に配設された溝により画定される、第２の複数のソール乱流部であって、前記第２の複数のソール乱流部の中の少なくとも１つのソール乱流部は、前記フェースまたは前記トウの付近からほぼ前記後方部に向かう方向に延在する、前記第２の複数のソール乱流部と、
を備え、
前記第１の複数のソール乱流部または前記第２の複数のソール乱流部の中の少なくとも１つのソール乱流部の幅は、前記少なくとも１つのソール乱流部の長さに沿って変化する、クラブヘッドゴルフクラブヘッド。
【請求項１５】
前記クラウン上に配設された複数のクラウン乱流部をさらに備える、請求項１４に記載のクラブヘッドゴルフクラブヘッド。
【請求項１６】
少なくとも１つのクラウン乱流部の少なくとも一部分が、前記フェースと前記クラウンの前記表面上の最高点により画定される頂点との間に配置される、請求項１５に記載のクラブヘッドゴルフクラブヘッド。
【請求項１７】
各隣接対のクラウン乱流部が、それぞれ独立し相互に離間されることにより、前記隣接対のクラウン乱流部間にスペースを画定し、各スペースは、前記スペースを画定する前記隣接対のクラウン乱流部のそれぞれの幅よりも実質的に大きい、請求項１５又は１６に記載のクラブヘッドゴルフクラブヘッド。
【請求項１８】
前記複数の第１のソール乱流部のそれぞれは、第１の端部および第２の端部を備え、前記第１の端部及び第２の端部は、前記ヒールと同一の一般的方向に延在する線を画定する、請求項１４から１７のいずれか一項に記載のクラブヘッドゴルフクラブヘッド。
【請求項１９】
前記第１の複数のソール乱流部または前記第２の複数のソール乱流部の中の少なくとも２つのソール乱流部の前記長さが異なる、請求項１４から１８のいずれか一項に記載のクラブヘッドゴルフクラブヘッド。
【請求項２０】
前記複数の第１のソール乱流部または前記複数の第２のソール乱流部の中の少なくとも２つのソール乱流部は、ほぼ平行である、請求項１４から１９のいずれか一項に記載のクラブヘッドゴルフクラブヘッド。
【請求項２１】
前記複数の第１のソール乱流部または前記複数の第２のソール乱流部の中の少なくとも２つのソール乱流部は、ほぼ非平行である、請求項１４から２０のいずれか一項に記載のクラブヘッドゴルフクラブヘッド。
【請求項２２】
前記複数の第１のソール乱流部の前記長さは、前記ヒールから前記トウにかけて延在する方向に漸増する、請求項１４から２１のいずれか一項に記載のクラブヘッドゴルフクラブヘッド。
【請求項２３】
前記複数の第２のソール乱流部の前記長さは、前記フェースまたは前記トウから前記後方部にかけて延在する方向に漸増する、請求項１４から２１のいずれか一項に記載のクラブヘッドゴルフクラブヘッド。
【請求項２４】
クラブヘッド上に乱流部を設けるための方法であって、
フェース、前記フェースに対向する後方部、ヒール、前記ヒールに対向するトウ、前記フェースと前記後方部と前記ヒールと前記トウとの間において延在するクラウン表面を有するクラウン、および前記クラウンに対向し、前記フェースと前記後方部と前記ヒールと前記トウとの間に延在するソール表面を有するソールを備えるクラブヘッドを準備するステップであって、前記クラウンの前記表面上の最高点が頂点を画定する、ステップと、
前記クラウンの前記表面から突出する複数のクラウン乱流部を形成するステップであって、各隣接する一対のクラウン乱流部が、それぞれ独立し相互に離間されることにより、前記隣接対のクラウン乱流部間にスペースを画定し、各クラウン乱流部は、前記ヒールと前記トウとの間において延在して幅を画定し、前記フェースと前記後方部との間において延在して長さを画定する、ステップと、を含み、
前記長さは、前記幅よりも実質的に大きく、
少なくとも１つのクラウン乱流部の少なくとも一部分が、前記フェースと前記頂点との間に位置し、
各隣接する一対のクラウン乱流部間の前記スペースは、前記スペースを画定する前記隣接する一対のクラウン乱流部のそれぞれの前記幅よりも実質的に大きい、方法。
【請求項２５】
前記複数のクラウン乱流部を形成する前記ステップは、前記クラブヘッドおよび前記複数の乱流部を共に形成するステップを含む、請求項２４に記載の方法。
【請求項２６】
前記複数のクラウン乱流部を形成する前記ステップは、前記クラウン上の前記複数のクラウン乱流部を装着するステップを含む、請求項２４に記載の方法。
【請求項２７】
前記ソール上に、第１の複数のソール乱流部を形成するステップをさらに含み、前記第１の複数のソール乱流部は、前記ヒールと前記フェースの中心から前記後方部にかけて延在する正中線との間の前記ソール表面の一部分に配設された溝によって画定され、前記第１の複数のソール乱流部の中の少なくとも１つのソール乱流部は、前記ヒールの付近からほぼ前記トウに向かう方向に延在する、請求項２４から２６のいずれか一項に記載の方法。
【請求項２８】
前記ソール上に、第２の複数のソール乱流部を形成するステップをさらに含み、前記第２の複数のソール乱流部は、前記トウと前記ソール表面上の前記正中線との間の前記ソール表面の一部分に配設された溝によって画定され、前記第２の複数のソール乱流部の中の少なくとも１つのソール乱流部は、前記フェースまたは前記トウの付近からほぼ前記後方部に向かう方向に延在する、請求項２４から２７のいずれか一項に記載の方法。
【手続補正２】
【補正対象書類名】明細書
【補正対象項目名】００８７
【補正方法】変更
【補正の内容】
【００８７】
本発明が種々の態様と関連付けて記載されているが、本発明はさらに変形可能であることが理解されよう。本出願は、一般に本発明の原理に従い、本発明が関連する技術において公知であり、かつ慣行であるような、本開示からの逸脱を含む、本発明のいかなる変形形態、使用、あるいは改変形態も包含することを意図するものである。
以下に、本実施例の特徴を列挙する。
（特徴１）
フェース、前記フェースに対向する後方部、ヒール、前記ヒールに対向するトウ、前記フェースと前記後方部と前記ヒールと前記トウとの間に延在するクラウン表面を有するクラウン、および前記クラウンに対向し、前記フェースと前記後方部と前記ヒールと前記トウとの間に延在するソール表面を有するソールであって、前記クラウンの前記表面上の最高点が頂点を画定する、前記ソールと、
前記クラウンの前記表面から突出する複数のクラウン乱流部であって、各隣接対のクラウン乱流部は、それぞれ独立し相互に離間されることにより、前記隣接対のクラウン乱流部間にスペースを画定し、各クラウン乱流部は、前記ヒールと前記トウとの間において延在して幅を画定し、前記フェースと前記後方部との間において延在して長さを画定する、前記複数のクラウン乱流部と、を備え、
前記長さは、前記幅よりも実質的に大きく、
少なくとも１つのクラウン乱流部の少なくとも一部分は、前記フェースと前記頂点との間に位置し、
各隣接する一対のクラウン乱流部間の前記スペースは、前記スペースを画定する前記隣接する一対のクラウン乱流部のそれぞれの前記幅よりも実質的に大きい、クラブヘッドゴルフクラブヘッド。
（特徴２）
前記複数の乱流部は、フェースに対して、ほぼ第１の方向に配向された第１の複数の乱流部と、前記フェースに対して前記第１の方向とは異なるほぼ第２の方向に配向された第２の複数の乱流部とを備える、特徴１に記載のクラブヘッドゴルフクラブヘッド。
（特徴３）
前記複数の乱流部は、前記フェースに対してほぼ同一方向に配向される、特徴１に記載のクラブヘッドゴルフクラブヘッド。
（特徴４）
各乱流部は、前記フェースに対して、ほぼ第１の方向に配向され、隣接する乱流部は、前記フェースに対して前記第１の方向とは異なるほぼ第２の方向に配向される、特徴１に記載のクラブヘッドゴルフクラブヘッド。
（特徴５）
各乱流部の前記長さは、前記フェースに対して０°超かつ９０°未満の角度で配向される、特徴１に記載のクラブヘッドゴルフクラブヘッド。
（特徴６）
各乱流部の前記長さは、前記フェースに対して約２０°〜約７０°の角度で配向される、特徴１に記載のクラブヘッドゴルフクラブヘッド。
（特徴７）
各隣接対の乱流部間の前記スペースは、前記クラウンの前記表面の一部により画定される、特徴１に記載のクラブヘッドゴルフクラブヘッド。
（特徴８）
前記ソール表面上に配設された複数のソール乱流部をさらに備える、特徴１に記載のクラブヘッドゴルフクラブヘッド。
（特徴９）
前記ソール乱流部はそれぞれ、幅および前記幅よりも実質的に大きな長さを有する前記ソール表面中の溝によって画定される、特徴８に記載のクラブヘッドゴルフクラブヘッド。
（特徴１０）
前記ソール乱流部の中の少なくとも１つは、前記ヒールと前記フェースの中心から前記後方部にかけて延在する正中線との間の前記ソール表面の一部分に配置される、特徴８に記載のクラブヘッドゴルフクラブヘッド。
（特徴１１）
前記少なくとも１つのソール乱流部は、前記ヒールの付近に位置し、ほぼ前記トウの方向に第２の端部まで延在する、第１の端部を有する、特徴１０に記載のクラブヘッドゴルフクラブヘッド。
（特徴１２）
前記ソール乱流部の中の少なくとも１つは、前記トウと前記フェースの中心から前記後方部にかけて延在する正中線との間の前記ソール表面の一部分に配置される、特徴８に記載のクラブヘッドゴルフクラブヘッド。
（特徴１３）
前記少なくとも１つのソール乱流部は、前記フェースまたは前記トウの付近に位置し、ほぼ前記トウの方向に第２の端部まで延在する、第１の端部を有する、特徴１２に記載のクラブヘッドゴルフクラブヘッド。
（特徴１４）
フェース、前記フェースに対向する後方部、ヒール、前記ヒールに対向するトウ、前記フェースと前記後方部と前記ヒールと前記トウとの間において延在するクラウン表面を有するクラウン、および前記クラウンに対向し、前記フェースと前記後方部と前記ヒールと前記トウとの間に延在するソール表面を有するソールと、
前記ヒールと前記フェースの中心から前記後方部まで延在する正中線との間の前記ソール表面の一部分に配設された溝により画定される、第１の複数のソール乱流部であって、前記第１の複数のソール乱流部の中の少なくとも１つのソール乱流部は、前記ヒールの付近からほぼ前記トウに向かう方向に延在する、前記第１の複数のソール乱流部と、
前記トウと前記ソール表面上の正中線との間の前記ソール表面の一部分に配設された溝により画定される、第２の複数のソール乱流部であって、前記第２の複数のソール乱流部の中の少なくとも１つのソール乱流部は、前記フェースまたは前記トウの付近からほぼ前記後方部に向かう方向に延在する、前記第２の複数のソール乱流部と
を備える、クラブヘッドゴルフクラブヘッド。
（特徴１５）
前記クラウン上に配設された複数のクラウン乱流部をさらに備える、特徴１４に記載のクラブヘッドゴルフクラブヘッド。
（特徴１６）
少なくとも１つのクラウン乱流部の少なくとも一部分が、前記フェースと前記クラウンの前記表面上の最高点により画定される頂点との間に配置される、特徴１５に記載のクラブヘッドゴルフクラブヘッド。
（特徴１７）
各隣接対のクラウン乱流部が、それぞれ独立し相互に離間されることにより、前記隣接対のクラウン乱流部間にスペースを画定し、各スペースは、前記スペースを画定する前記隣接対のクラウン乱流部のそれぞれの幅よりも実質的に大きい、特徴１５に記載のクラブヘッドゴルフクラブヘッド。
（特徴１８）
前記複数の第１のソール乱流部のそれぞれは、第１の端部および第２の端部を備え、前記第１の端部は、前記ヒールと同一の一般的方向に延在する線を画定する、特徴１４に記載のクラブヘッドゴルフクラブヘッド。
（特徴１９）
前記第１の複数のソール乱流部または前記第２の複数のソール乱流部の中の少なくとも１つのソール乱流部の幅は、前記少なくとも１つのソール乱流部の長さに沿って変化する、特徴１４に記載のクラブヘッドゴルフクラブヘッド。
（特徴２０）
前記第１の複数のソール乱流部または前記第２の複数のソール乱流部の中の少なくとも２つのソール乱流部の長さが異なる、特徴１４に記載のクラブヘッドゴルフクラブヘッド。
（特徴２１）
前記複数の第１のソール乱流部または前記複数の第２のソール乱流部の中の少なくとも２つのソール乱流部は、ほぼ平行である、特徴１４に記載のクラブヘッドゴルフクラブヘッド。
（特徴２２）
前記複数の第１のソール乱流部または前記複数の第２のソール乱流部の中の少なくとも２つのソール乱流部は、ほぼ非平行である、特徴１４に記載のクラブヘッドゴルフクラブヘッド。
（特徴２３）
前記複数の第１のソール乱流部の長さは、前記ヒールから前記トウにかけて延在する方向に漸増する、特徴１４に記載のクラブヘッドゴルフクラブヘッド。
（特徴２４）
前記複数の第２のソール乱流部の長さは、前記フェースまたは前記トウから前記後方部にかけて延在する方向に漸増する、特徴１４に記載のクラブヘッドゴルフクラブヘッド。
（特徴２５）
クラブヘッド上に乱流部を設けるための方法であって、
フェース、前記フェースに対向する後方部、ヒール、前記ヒールに対向するトウ、前記フェースと前記後方部と前記ヒールと前記トウとの間において延在するクラウン表面を有するクラウン、および前記クラウンに対向し、前記フェースと前記後方部と前記ヒールと前記トウとの間に延在するソール表面を有するソールを備えるクラブヘッドを準備するステップであって、前記クラウンの前記表面上の最高点が頂点を画定する、ステップと、
前記クラウンの前記表面から突出する複数のクラウン乱流部を形成するステップであって、各隣接する一対のクラウン乱流部が、それぞれ独立し相互に離間されることにより、前記隣接対のクラウン乱流部間にスペースを画定し、各クラウン乱流部は、前記ヒールと前記トウとの間において延在して幅を画定し、前記フェースと前記後方部との間において延在して長さを画定する、ステップと、を含み、
前記長さは、前記幅よりも実質的に大きく、
少なくとも１つのクラウン乱流部の少なくとも一部分が、前記フェースと前記頂点との間に位置し、
各隣接する一対のクラウン乱流部間の前記スペースは、前記スペースを画定する前記隣接する一対のクラウン乱流部のそれぞれの前記幅よりも実質的に大きい、方法。
（特徴２６）
前記複数のクラウン乱流部を形成する前記ステップは、前記クラブヘッドおよび前記複数の乱流部を共に形成するステップを含む、特徴２５に記載の方法。
（特徴２７）
前記複数のクラウン乱流部を形成する前記ステップは、前記クラウン上の前記複数のクラウン乱流部を装着するステップを含む、特徴２５に記載の方法。
（特徴２８）
前記ソール上に、第１の複数のソール乱流部を形成するステップをさらに含み、前記第１の複数のソール乱流部は、前記ヒールと前記フェースの中心から前記後方部にかけて延在する正中線との間の前記ソール表面の一部分に配設された溝によって画定され、前記第１の複数のソール乱流部の中の少なくとも１つのソール乱流部は、前記ヒールの付近からほぼ前記トウに向かう方向に延在する、特徴２５に記載の方法。
（特徴２９）
前記ソール上に、第２の複数のソール乱流部を形成するステップをさらに含み、前記第２の複数のソール乱流部は、前記トウと前記ソール表面上の前記正中線との間の前記ソール表面の一部分に配設された溝によって画定され、前記第２の複数のソール乱流部の中の少なくとも１つのソール乱流部は、前記フェースまたは前記トウの付近からほぼ前記後方部に向かう方向に延在する、特徴２５に記載の方法。